(57)【要約】【課題】待機処理時にインクが蒸発し、ノズルの目詰まりが発生する。【解決手段】本発明は、ジョブを受信し、前記ジョブに従って素子を駆動してインクを吐出口から媒体に吐出し、前記媒体に印刷を行う印刷装置であって、前記素子を駆動するための駆動信号を発生する駆動信号発生器と、前記吐出口を覆うためのキャップと、を備える。そして、本発明では、複数の媒体を連続印刷する前記ジョブに従って前記印刷装置が前記複数の媒体を印刷する際に、前記印刷装置が各媒体への前記インクの吐出を終える毎に、前記駆動信号発生器は前記駆動信号の発生を待機し、前記キャップは前記吐出口を覆うことを特徴とする。このような印刷装置によれば、待機処理時のインクの蒸発を抑制することができる。【選択図】    図１４
2005219461.tif 000002
【特許請求の範囲】
【請求項１】
ジョブを受信し、前記ジョブに従って素子を駆動してインクを吐出口から媒体に吐出し、前記媒体に印刷を行う印刷装置であって、
前記素子を駆動するための駆動信号を発生する駆動信号発生器と、
前記吐出口を覆うためのキャップと、
を備え、
複数の媒体を連続印刷する前記ジョブに従って前記印刷装置が前記複数の媒体を印刷する際に、前記印刷装置が各媒体への前記インクの吐出を終える毎に、
前記駆動信号発生器は前記駆動信号の発生を待機し、
前記キャップは前記吐出口を覆う
ことを特徴とする印刷装置。
【請求項２】
請求項１に記載の印刷装置であって、
前記駆動信号発生器が前記駆動信号の発生を待機した後、前記印刷装置が次の前記媒体に印刷を行う前に、前記吐出口からインクを空吐出させることを特徴とする印刷装置。
【請求項３】
請求項２に記載の印刷装置であって、
前記キャップは、前記吐出口から空吐出されたインクを受けることを特徴とする印刷装置。
【請求項４】
請求項１〜３のいずれかに記載の印刷装置であって、
前記駆動信号発生器が前記駆動信号の発生を待機した後、前記印刷装置が次の前記媒体に印刷を行う前に、前記吐出口からインクを吸引することを特徴とする印刷装置。
【請求項５】
請求項４に記載の印刷装置であって、
前記インクを吸引するとき、前記キャップと前記吐出口との間を負圧にすることを特徴とする印刷装置。
【請求項６】
請求項１〜５のいずれかに記載の印刷装置であって、
前記印刷装置の電源をＯＦＦにしたとき、前記キャップが前記吐出口を覆うことを特徴とする印刷装置。
【請求項７】
請求項１〜６のいずれかに記載の印刷装置であって、
前記印刷装置は、大きさの異なる前記媒体を印刷可能であり、
印刷する前記媒体の大きさに応じて、前記駆動信号発生器からの前記駆動信号の発生の待機を待機させる待機時間を決定することを特徴とする印刷装置。
【請求項８】
請求項１〜７のいずれかに記載の印刷装置であって、
前記駆動信号発生器の温度を検出するためのセンサを更に有し、
前記センサの検出結果に基づいて、前記駆動信号発生器からの前記駆動信号の発生を待機させることを特徴とする印刷装置。
【請求項９】
請求項８に記載の印刷装置であって、
閾値が設定されており、
前記センサの検出結果が前記閾値を越えたとき、前記駆動信号発生器からの前記駆動信号の発生を待機させることを特徴とする印刷装置。
【請求項１０】
請求項８又は請求項９に記載の印刷装置であって、
前記センサの検出結果に基づいて、前記駆動信号発生器からの前記駆動信号の発生を待機させる待機時間を決定することを特徴とする印刷装置。
【請求項１１】
請求項１０に記載の印刷装置であって、
前記センサが高い温度を検出するほど、前記待機時間が長くなることを特徴とする印刷装置。
【請求項１２】
請求項１〜１１のいずれかに記載の印刷装置であって、
前記駆動信号発生器は、複数の種類の前記駆動信号を発生可能であり、
前記駆動信号の種類に基づいて、前記駆動信号発生器からの前記駆動信号の発生を待機させることを特徴とする印刷装置。
【請求項１３】
請求項１２に記載の印刷装置であって、
前記駆動信号の種類に基づいて、前記駆動信号発生器からの前記駆動信号の発生を待機させる待機時間を決定することを特徴とする印刷装置。
【請求項１４】
請求項１３に記載の印刷装置であって、
前記複数の種類の前記駆動信号は、前記駆動信号発生器の消費電力がそれぞれ異なり、
前記駆動信号発生器の消費電力の大きい前記駆動信号の種類ほど、前記待機時間が長くなることを特徴とする印刷装置。
【請求項１５】
ジョブを受信し、前記ジョブに従って素子を駆動してインクを吐出口から媒体に吐出し、前記媒体に印刷を行う印刷装置であって、
前記素子を駆動するための駆動信号を発生する駆動信号発生器と、
前記吐出口を覆うためのキャップと、
を備え、
複数の媒体を連続印刷する前記ジョブに従って前記印刷装置が前記複数の媒体を印刷する際に、前記印刷装置が各媒体への前記インクの吐出を終える毎に、
前記駆動信号発生器は前記駆動信号の発生を待機し、
前記キャップは前記吐出口を覆い、
前記駆動信号発生器が前記駆動信号の発生を待機した後、前記印刷装置が次の前記媒体に印刷を行う前に、前記吐出口からインクを空吐出させ、
前記キャップは、前記吐出口から空吐出されたインクを受け、
前記駆動信号発生器が前記駆動信号の発生を待機した後、前記印刷装置が次の前記媒体に印刷を行う前に、前記吐出口からインクを吸引し、
前記インクを吸引するとき、前記キャップと前記吐出口との間を負圧にし、
前記印刷装置の電源をＯＦＦにしたとき、前記キャップが前記吐出口を覆い、
前記印刷装置は大きさの異なる前記媒体を印刷可能であり、印刷する前記媒体の大きさに応じて、前記駆動信号発生器からの前記駆動信号の発生の待機を待機させる待機時間を決定し、
前記駆動信号発生器の温度を検出するためのセンサを更に有し、
前記センサの検出結果に基づいて、前記駆動信号発生器からの前記駆動信号の発生を待機させ、
閾値が設定されており、前記センサの検出結果が前記閾値を越えたとき、前記駆動信号発生器からの前記駆動信号の発生を待機させ、
前記センサの検出結果に基づいて、前記駆動信号発生器からの前記駆動信号の発生を待機させる待機時間を決定し、
前記センサが高い温度を検出するほど、前記待機時間が長くなり、
前記駆動信号発生器は、複数の種類の前記駆動信号を発生可能であり、
前記駆動信号の種類に基づいて、前記駆動信号発生器からの前記駆動信号の発生を待機させ、
前記駆動信号の種類に基づいて、前記駆動信号発生器からの前記駆動信号の発生を待機させる待機時間を決定し、
前記複数の種類の前記駆動信号は、前記駆動信号発生器の消費電力がそれぞれ異なり、
前記駆動信号発生器の消費電力の大きい前記駆動信号の種類ほど、前記待機時間が長くなる
ことを特徴とする印刷装置。
【請求項１６】
ジョブを受信し、前記ジョブに従って素子を駆動してインクを吐出口から媒体に吐出し、前記媒体に印刷を行う印刷方法であって、
複数の媒体を連続印刷する前記ジョブに従って前記印刷装置が前記複数の媒体を印刷する際に、前記印刷装置が各媒体への前記インクの吐出を終える毎に、
前記素子を駆動するための駆動信号の発生を待機させ、
前記吐出口をキャップで覆う
ことを特徴とする印刷方法。
【発明の詳細な説明】
【技術分野】
【０００１】
本発明は、印刷装置及び印刷方法に関する。
【背景技術】
【０００２】
圧電素子を駆動してインクを紙に吐出するインクジェットプリンタが知られている。このようなインクジェットプリンタは、圧電素子を駆動するための駆動信号を発生する駆動信号発生器を備えている。  
インクジェットプリンタが連続して印刷処理を行うと、駆動信号発生器が発熱する。この発熱により、駆動信号発生器が高温になると、インクジェットプリンタが故障するおそれがある。  
そこで、駆動信号発生器からの駆動信号の発生を待機させることが行われている。
【特許文献１】特開２００３−７２０５８号公報
【発明の開示】
【発明が解決しようとする課題】
【０００３】
連続印刷するジョブをプリンタが実行する際に、プリンタが１枚印刷する毎に待機処理を行うことがある。このようなタイミングで待機処理を行う場合、ドット形成処理毎に待機処理を行う場合と比較して、待機処理の待機時間が長くなる傾向にある。しかし、駆動信号発生器からの駆動信号の発生を長時間待機させると、ノズルからのインクの蒸発により、インクの粘度が増し、印刷時に吐出不良となるおそれがある。  
そこで、本発明は、待機処理時のインクの蒸発を抑制することを目的とする。
【課題を解決するための手段】
【０００４】
上記目的を達成するための主たる発明は、ジョブを受信し、前記ジョブに従って素子を駆動してインクを吐出口から媒体に吐出し、前記媒体に印刷を行う印刷装置であって、前記素子を駆動するための駆動信号を発生する駆動信号発生器と、前記吐出口を覆うためのキャップと、を備える印刷装置である。そして、本発明では、複数の媒体を連続印刷する前記ジョブに従って前記印刷装置が前記複数の媒体を印刷する際に、前記印刷装置が各媒体への前記インクの吐出を終える毎に、前記駆動信号発生器は前記駆動信号の発生を待機し、前記キャップは前記吐出口を覆うことを特徴とする。  
本発明の他の特徴については、本明細書及び添付図面の記載により明らかにする。
【発明の効果】
【０００５】
本発明は、待機処理時のインクの蒸発を抑制することができる。
【発明を実施するための最良の形態】
【０００６】
＝＝＝開示の概要＝＝＝
本明細書及び添付図面の記載により、少なくとも、以下の事項が明らかとなる。
【０００７】
ジョブを受信し、前記ジョブに従って素子を駆動してインクを吐出口から媒体に吐出し、前記媒体に印刷を行う印刷装置であって、
前記素子を駆動するための駆動信号を発生する駆動信号発生器と、
前記吐出口を覆うためのキャップと、
を備え、
複数の媒体を連続印刷する前記ジョブに従って前記印刷装置が前記複数の媒体を印刷する際に、前記印刷装置が各媒体への前記インクの吐出を終える毎に、
前記駆動信号発生器は前記駆動信号の発生を待機し、
前記キャップは前記吐出口を覆う
ことを特徴とする印刷装置。  
このような印刷装置によれば、待機処理時のインクの蒸発を抑制することができる。
【０００８】
かかる印刷装置であって、前記駆動信号発生器が前記駆動信号の発生を待機した後、前記印刷装置が次の前記媒体に印刷を行う前に、前記吐出口からインクを空吐出させることが望ましい。これにより、次の紙の印刷前に目詰まりを回復することができる。また、前記キャップは、前記吐出口から空吐出されたインクを受けることが好ましい。これにより、フラッシング時にキャップを兼用することができる。
【０００９】
かかる印刷装置であって、前記駆動信号発生器が前記駆動信号の発生を待機した後、前記印刷装置が次の前記媒体に印刷を行う前に、前記吐出口からインクを吸引することが望ましい。これにより、次の紙の印刷前に目詰まりを回復することができる。また、前記インクを吸引するとき、前記キャップと前記吐出口との間を負圧にすることが好ましい。これにより、インク吸引時にキャップを兼用することができる。
【００１０】
かかる印刷装置であって、前記印刷装置の電源をＯＦＦにしたとき、前記キャップが前記吐出口を覆うことが望ましい。これにより、待機処理時と電源ＯＦＦ時に同じキャップを用いることができる。
【００１１】
かかる印刷装置であって、前記印刷装置は、大きさの異なる前記媒体を印刷可能であり、印刷する前記媒体の大きさに応じて、前記駆動信号発生器からの前記駆動信号の発生の待機を待機させる待機時間を決定することが望ましい。これにより、駆動信号発生器に蓄積される熱に応じた待機時間を決定できる。
【００１２】
かかる印刷装置であって、前記駆動信号発生器の温度を検出するためのセンサを更に有し、前記センサの検出結果に基づいて、前記駆動信号発生器からの前記駆動信号の発生を待機させることが望ましい。また、閾値が設定されており、前記センサの検出結果が前記閾値を越えたとき、前記駆動信号発生器からの前記駆動信号の発生を待機させることが好ましい。これにより、印刷装置の印刷速度が速くなる。また、前記センサの検出結果に基づいて、前記駆動信号発生器からの前記駆動信号の発生を待機させる待機時間を決定することが好ましい。これにより、印刷装置の印刷速度が速くなる。また、前記センサが高い温度を検出するほど、前記待機時間が長くなることが好ましい。これにより、駆動信号発生器の温度が上昇しても良い範囲で、印刷装置の印刷速度が速くなる。
【００１３】
かかる印刷装置であって、前記駆動信号発生器は、複数の種類の前記駆動信号を発生可能であり、前記駆動信号の種類に基づいて、前記駆動信号発生器からの前記駆動信号の発生を待機させることが望ましい。これにより、印刷速度の速い安価な印刷装置を提供できる。また、前記駆動信号の種類に基づいて、前記駆動信号発生器からの前記駆動信号の発生を待機させる待機時間を決定することが好ましい。これにより、印刷速度の速い安価な印刷装置を提供できる。また、前記複数の種類の前記駆動信号は、前記駆動信号発生器の消費電力がそれぞれ異なり、前記駆動信号発生器の消費電力の大きい前記駆動信号の種類ほど、前記待機時間が長くなることが良い。消費電力が大きいほど、駆動信号発生器の放熱を行う必要があるからである。
【００１４】
なお、上記の構成要素を全て備えた印刷装置は、全ての効果を奏するので、有利である。
【００１５】
ジョブを受信し、前記ジョブに従って素子を駆動してインクを吐出口から媒体に吐出し、前記媒体に印刷を行う印刷方法であって、
複数の媒体を連続印刷する前記ジョブに従って前記印刷装置が前記複数の媒体を印刷する際に、前記印刷装置が各媒体への前記インクの吐出を終える毎に、
前記素子を駆動するための駆動信号の発生を待機させ、
前記吐出口をキャップで覆う
ことを特徴とする印刷方法。  
このような印刷方法によれば、待機処理時のインクの蒸発を抑制することができる。
【００１６】
＝＝＝印刷システムの構成＝＝＝
次に、印刷システム（コンピュータシステム）の実施形態について、図面を参照しながら説明する。ただし、以下の実施形態の記載には、コンピュータプログラム、及び、コンピュータプログラムを記録した記録媒体等に関する実施形態も含まれている。
【００１７】
図１は、印刷システムの外観構成を示した説明図である。この印刷システム１００は、プリンタ１と、コンピュータ１１０と、表示装置１２０と、入力装置１３０と、記録再生装置１４０とを備えている。プリンタ１は、紙、布、フィルム等の媒体に画像を印刷する印刷装置である。コンピュータ１１０は、プリンタ１と電気的に接続されており、プリンタ１に画像を印刷させるため、印刷させる画像に応じた印刷データをプリンタ１に出力する。表示装置１２０は、ディスプレイを有し、アプリケーションプログラムやプリンタドライバ等のユーザインタフェースを表示する。入力装置１３０は、例えばキーボード１３０Ａやマウス１３０Ｂであり、表示装置１２０に表示されたユーザインタフェースに沿って、アプリケーションプログラムの操作やプリンタドライバの設定等に用いられる。記録再生装置１４０は、例えばフレキシブルディスクドライブ装置１４０ＡやＣＤ−ＲＯＭドライブ装置１４０Ｂが用いられる。
【００１８】
コンピュータ１１０にはプリンタドライバがインストールされている。プリンタドライバは、表示装置１２０にユーザインタフェースを表示させる機能を実現させるほか、アプリケーションプログラムから出力された画像データを印刷データに変換する機能を実現させるためのプログラムである。このプリンタドライバは、フレキシブルディスクＦＤやＣＤ−ＲＯＭなどの記録媒体（コンピュータ読み取り可能な記録媒体）に記録されている。または、このプリンタドライバは、インターネットを介してコンピュータ１１０にダウンロードすることも可能である。なお、このプログラムは、各種の機能を実現するためのコードから構成されている。
【００１９】
なお、「印刷装置」とは、狭義にはプリンタ１を意味するが、広義にはプリンタ１とコンピュータ１１０とのシステムを意味する。  
また、アプリケーションプログラムからプリンタドライバが受け取った画像データに対応する印刷データを、ジョブと呼ぶ。ジョブの内容が、紙１枚分の印刷データである場合もあれば、複数枚分の印刷データである場合もある。ジョブが複数枚分の印刷データである場合、プリンタは、複数の紙に対して連続印刷を行うことになる。
【００２０】
＝＝＝プリンタドライバ＝＝＝
＜プリンタドライバについて＞
コンピュータ１１０では、コンピュータに搭載されたオペレーティングシステムの下、ビデオドライバやアプリケーションプログラムやプリンタドライバなどのコンピュータプログラムが動作している。ビデオドライバは、アプリケーションプログラムやプリンタドライバからの表示命令に従って、例えばユーザインターフェース等を表示装置１２０に表示する機能を有する。アプリケーションプログラムは、例えば、画像編集などを行う機能を有し、画像に関するデータ（画像データ）を作成する。ユーザは、アプリケーションプログラムのユーザインターフェースを介して、アプリケーションプログラムにより編集した画像を印刷する指示を与えることができる。アプリケーションプログラムは、印刷の指示を受けると、プリンタドライバに画像データを出力する。
【００２１】
プリンタドライバは、アプリケーションプログラムから画像データを受け取り、この画像データを印刷データに変換し、印刷データをプリンタに出力する。ここで、印刷データとは、プリンタ１が解釈できる形式のデータであって、各種のコマンドデータと画素データとを有するデータである。ここで、コマンドデータとは、プリンタに特定の動作の実行を指示するためのデータである。また、画素データとは、印刷される画像（印刷画像）を構成する画素に関するデータであり、例えば、ある画素に対応する紙上の位置に形成されるドットに関するデータ（ドットの色や大きさ等のデータ）である。
【００２２】
＜プリンタドライバの設定について＞
図２は、プリンタドライバのユーザインターフェースの説明図である。このプリンタドライバのユーザインターフェースは、ビデオドライバを介して、表示装置に表示される。ユーザーは、入力装置１３０を用いて、プリンタドライバの各種の設定を行うことができる。
【００２３】
ユーザーは、この画面上から、印刷モードを選択することができる。例えば、ユーザーは、印刷モードとして、高速印刷モード（はやい）又はファイン印刷モード（きれい）を選択することができる。そして、プリンタドライバは、選択された印刷モードに応じた形式になるように、画像データを印刷データに変換する。  
また、ユーザーは、この画面上から、印刷に用いられる印刷用紙を選択することができる。例えば、ユーザーは、印刷用紙として、普通紙や光沢紙を選択することができる。紙の種類（紙種）が異なれば、インクの滲み方や乾き方も異なるため、印刷に適したインク量も異なる。そのため、プリンタドライバは、選択された紙種に応じて、画像データを印刷データに変換する。  
ユーザーが選択した印刷モードや印刷用紙の種類に応じて、印刷の解像度（印刷するときのドットの間隔）が決定される。また、ユーザーが選択した印刷モードや印刷用紙の種類に応じて、後述するキャリッジの移動速度や、吐出用駆動信号ＣＯＭの種類が決定される。この決定内容は、印刷データのコマンドデータとしてプリンタに送信される。  
このように、プリンタドライバは、ユーザインターフェースを介して設定された条件に従って、画像データを印刷データに変換する。
【００２４】
＝＝＝プリンタの構成＝＝＝
＜インクジェットプリンタの構成について＞
図３は、本実施形態のプリンタの全体構成のブロック図である。また、図４は、本実施形態のプリンタの全体構成の概略図である。また、図５は、本実施形態のプリンタの全体構成の横断面図である。以下、本実施形態のプリンタの基本的な構成について説明する。
【００２５】
本実施形態のプリンタは、搬送ユニット２０、キャリッジユニット３０、ヘッドユニット４０、検出器群５０、およびコントローラ６０を有する。外部装置であるコンピュータ１１０から印刷データを受信したプリンタ１は、コントローラ６０によって各ユニット（搬送ユニット２０、キャリッジユニット３０、ヘッドユニット４０）を制御する。コントローラ６０は、コンピュータ１１０から受信した印刷データに基づいて、各ユニットを制御し、紙に画像を形成する。プリンタ１内の状況は検出器群５０によって監視されており、検出器群５０は、検出結果をコントローラ６０に出力する。検出器群５０から検出結果を受けたコントローラ６０は、その検出結果に基づいて、各ユニットを制御する。
【００２６】
搬送ユニット２０は、媒体（例えば、紙Ｓなど）を印刷可能な位置に送り込み、印刷時に所定の方向（以下、搬送方向という）に所定の搬送量で紙を搬送させるためのものである。すなわち、搬送ユニット２０は、紙を搬送する搬送機構（搬送手段）として機能する。搬送ユニット２０は、給紙ローラ２１と、搬送モータ２２（ＰＦモータとも言う）と、搬送ローラ２３と、プラテン２４と、排紙ローラ２５とを有する。ただし、搬送ユニット２０が搬送機構として機能するためには、必ずしもこれらの構成要素を全て必要とするわけではない。給紙ローラ２１は、紙挿入口に挿入された紙をプリンタ内に自動的に給紙するためのローラである。給紙ローラ２１は、Ｄ形の断面形状をしており、円周部分の長さは搬送ローラ２３までの搬送距離よりも長く設定されているので、この円周部分を用いて紙を搬送ローラ２３まで搬送できる。搬送モータ２２は、紙を搬送方向に搬送するためのモータであり、ＤＣモータにより構成される。搬送ローラ２３は、給紙ローラ２１によって給紙された紙Ｓを印刷可能な領域まで搬送するローラであり、搬送モータ２２によって駆動される。プラテン２４は、印刷中の紙Ｓを支持する。排紙ローラ２５は、印刷が終了した紙Ｓをプリンタの外部に排出するローラである。この排紙ローラ２５は、搬送ローラ２３と同期して回転する。なお、プリンタには、Ａ４用紙やＢ５用紙などのカット紙を搬送する経路Ａと、ロール紙などの連続紙を搬送する経路Ｂの２つの経路がある（図５参照）。
【００２７】
キャリッジユニット３０は、ヘッドを所定の方向（以下、移動方向という）に移動（「走査」とも呼ばれる）させるためのものである。キャリッジユニット３０は、キャリッジ３１と、キャリッジモータ３２（ＣＲモータとも言う）とを有する。キャリッジ３１は、移動方向に往復移動可能である。（これにより、ヘッドが移動方向に沿って移動する。）また、キャリッジ３１は、インクを収容するインクカートリッジを着脱可能に保持している。キャリッジモータ３２は、キャリッジ３１を移動方向に移動させるためのモータであり、ＤＣモータにより構成される。
【００２８】
ヘッドユニット４０は、紙にインクを吐出するためのものである。ヘッドユニット４０は、ヘッド４１を有する。ヘッド４１は、インク吐出部であるノズルを複数有し、各ノズルから断続的にインクを吐出する。このヘッド４１は、キャリッジ３１に設けられている。そのため、キャリッジ３１が移動方向に移動すると、ヘッド４１も移動方向に移動する。そして、ヘッド４１が移動方向に移動中にインクを断続的に吐出することによって、移動方向に沿ったドットライン（ラスタライン）が紙に形成される。ヘッドユニット４０は、プリンタ本体側の制御ユニットから、ケーブル４５を介して、ヘッドを駆動するためのデータを取得する。このケーブル４５は、柔軟な帯状のケーブルであり、プリンタ本体とキャリッジ３１とを柔軟に連結し、プリンタ本体とヘッドユニット４１とを電気的に連結する。
【００２９】
検出器群５０には、リニア式エンコーダ５１、ロータリー式エンコーダ５２、紙検出センサ５３、および光学センサ５４等が含まれる。リニア式エンコーダ５１は、キャリッジ３１の移動方向の位置を検出するためのものである。ロータリー式エンコーダ５２は、搬送ローラ２３の回転量を検出するためのものである。紙検出センサ５３は、印刷される紙の先端の位置を検出するためのものである。この紙検出センサ５３は、給紙ローラ２１が搬送ローラ２３に向かって紙を給紙する途中で、紙の先端の位置を検出できる位置に設けられている。なお、紙検出センサ５３は、機械的な機構によって紙の先端を検出するメカニカルセンサである。詳しく言うと、紙検出センサ５３は搬送方向に回転可能なレバーを有し、このレバーは紙の搬送経路内に突出するように配置されている。そのため、紙の先端がレバーに接触し、レバーが回転させられるので、紙検出センサ５３は、このレバーの動きを検出することによって、紙の先端の位置を検出する。光学センサ５４は、キャリッジ３１に取付けられている。光学センサ５４は、発光部から紙に照射された光の反射光を受光部が検出することにより、紙の有無を検出する。そして、光学センサ５４は、キャリッジ４１によって移動しながら紙の端部の位置を検出する。光学センサ５４は、光学的に紙の端部を検出するため、機械的な紙検出センサ５３よりも、検出精度が高い。
【００３０】
コントローラ６０は、プリンタの制御を行うための制御ユニット（制御手段）である。コントローラ６０は、インターフェース部６１と、ＣＰＵ６２と、メモリ６３と、ユニット制御回路６４と、クロック６５とを有する。インターフェース部６１は、外部装置であるコンピュータ１１０とプリンタ１との間でデータの送受信を行うためのものである。ＣＰＵ６２は、プリンタ全体の制御を行うための演算処理装置である。メモリ６３は、ＣＰＵ６２のプログラムを格納する領域や作業領域等を確保するためのものであり、ＲＡＭ、ＥＥＰＲＯＭ等の記憶手段を有する。ＣＰＵ６２は、メモリ６３に格納されているプログラムに従って、ユニット制御回路６４を介して各ユニットを制御する。クロック６５は、一定周期のクロック信号ＣＫをＣＰＵ６２やユニット制御回路６４へ出力する。
【００３１】
＝＝＝キャップユニット＝＝＝
本実施形態のプリンタは、更にキャップユニット７０を備えている。図６は、キャップユニットを上から見た図である。図７は、キャップユニットを横から見た図である。これらの図と図４を用いて、キャップユニット７０について説明する。
【００３２】
このキャップユニット７０は、キャップ７１と、スライダ７２と、ガイド機構７３と、回転機構７４と、復元機構７５とを有する。キャップ１は、スライダ７２、ガイド機構７３、回転機構７４及び復元機構７５によって、移動可能に設けられている。スライダ７２は、キャップ７１と一体的に設けられている。スライダ７２は、接触部７２１を有する。ガイド機構７３は、ガイド軸７３１と、ガイド７３２とを有する。ガイド軸７３１は、スライダ７２と一体的に設けられている。ガイド７３２は、ガイド穴７３２Ａを有し、そのガイド穴７３２Ａによって、ガイド軸７３１の移動可能な方向が規制されている。回転機構７４は、スライダ側部材７４１と、本体側部材７４２と、回転軸７４３とを有する。スライダ側部材７４１は、スライダ７２と一体的に設けられており、回転可能に回転軸７４３とリンクしている。本体側部材７４２は、本体側に固定されており、回転可能に回転軸７４３とリンクしている。復元機構７５は、スライダ側バネ掛け部材７５１と、本体側バネ掛け部材７５２と、バネ７５３とを有する。スライダ側バネ掛け部材７５１は、バネを引っかけるための溝が設けられており、ガイド軸７３１と一体的に設けられている。本体側バネ掛け部７５２は、バネを引っかけるためのかぎ形状の部材であり、本体側に固定されている。バネ７５３は、一端がスライダ側バネ掛け部材７５１に掛けられ、他端が本体側バネ掛け部材７５２に掛けられ、両者が近づく方向に力を付与している。
【００３３】
キャリッジ３１が図中の右方向に移動すると、キャリッジ３１と一体的に設けられた部材３１１が接触部７２１と接触する。さらにキャリッジ３１が移動すると、スライダ７２が、接触部７２１を介して力を受けて、バネ７５３の力に対向しながら移動する。スライダ７２が移動するとき、ガイド軸７３１がガイド穴７３２Ａによって規制されている。また、スライダ７２は、回転機構７４によっても移動方向が規制されている。そのため、ガイド機構７３及び回転機構７４によって許容される方向にスライダ７２が移動する。このスライダ７２の移動により、キャップ７１が右方向に移動しつつ上昇し、キャップ７１がヘッド４１を覆う。このときのキャリッジ３１の位置をホームポジションという。  
キャリッジ３１がホームポジションから図中の左側に移動すると、スライダ７２がバネ７５３の復元力を受けて移動する。この移動の際にも、ガイド機構７３及び回転機構７４によって許容される方向にスライダ７２が移動する。このスライダ７２の移動により、キャップ７１が左方向に移動しつつ下降し、キャップ７１がヘッド４１から外れる。
【００３４】
キャリッジ４１がホームポジションに位置するとき、キャップ７１はヘッド４１を覆い、ヘッド４１を外気から遮断する。つまり、キャップ７１は、ノズルの乾燥を防止するための蓋としての機能を果たす。キャップ７１がヘッド４１を覆うことによって、ノズルからのインクの蒸発を防ぎ、インクの増粘によるノズルの目詰まりを防ぐことができる。
【００３５】
また、キャリッジ４１がホームポジションに位置するとき、ヘッド４１とキャップ７１との間の空間は、密閉されている。キャップ７１には吸引口７１Ａが設けられており、吸引口７１Ａが負圧になると、ノズル内のインクが吸引される。つまり、キャップ７１は、インク吸引のための筐体としての機能を備える。インク吸引によって、ノズル内の気泡を除去し、インクの吐出不良を防ぐことができる。
【００３６】
また、キャリッジ３１の部材３１１と接触部７２１とが接触する前後において、既にキャップ７１はヘッド４１と対向している。そして、プリンタは、キャリッジ３１をこのような位置に移動したとき、フラッシング処理を行う（このときのキャリッジ３１の位置をフラッシング位置という）。フラッシング処理とは、ヘッド４１がヘッド４１からインクを空吐出（紙と対向しない状況でインクを吐出すること）させ、ノズルの目詰まりを防ぐ処理である。つまり、キャップ７１は、フラッシング処理時のインク受けとしての機能を果たす。なお、キャップ７１には、インクを吸収するための吸収体７１Ｂ（例えばスポンジ等）が設けられている。
【００３７】
プリンタの電源がＯＦＦのとき、ノズルからのインクの蒸発を防ぐため、コントローラ６０は、キャリッジ３１をホームポジションに移動する。また、本実施形態では、待機処理（後述）の際にキャップ７１でヘッド４１を覆うため、コントローラ６０は、キャリッジ３１をホームポジションに移動する。
【００３８】
＝＝＝ヘッドの駆動＝＝＝
図８は、ヘッドの駆動を行う構成要素の説明図である。図９は、駆動信号発生器の電気回路の概略説明図である。図１０は、駆動信号発生器が発生する複数の駆動信号の説明図である。図１１は、画素データと、レベルシフタの出力信号及び圧電素子への入力信号との関係の説明図である。既に説明した構成要素については、同じ符号を付しているので、説明を省略する。
【００３９】
ヘッドユニット４１は、ヘッド４１と、ヘッド４１を駆動するためのヘッド駆動回路４２とを有する。ヘッド４１は、複数のノズルを備えるとともに、各ノズルに対応して設けられた圧電素子４１１と、チャンバ４１２とを有する。ヘッド駆動回路４２は、複数のノズルにそれぞれ対応して設けられている。各ヘッド駆動回路４２は、シフトレジスタ４２１と、ラッチ回路４２２と、デコーダ４２３と、レベルシフタ４２４と、スイッチ４２５と、をそれぞれ有する。
【００４０】
ユニット制御回路６４は、駆動信号発生器６４１を有する。駆動信号発生器は、２つのトランジスタＱ１及びＱ２と、ＩＣとを有する。ＩＣは、２つのトランジスタのエミッタ側の電圧に応じて、各トランジスタへフィードバックする。各トランジスタのエミッタ側の電圧信号は、吐出用駆動信号ＣＯＭとして、ケーブル４５を介して、ヘッド駆動回路へ出力される。
【００４１】
駆動信号発生器６４１は、複数の種類の吐出用駆動信号ＣＯＭ１〜ＣＯＭ３を発生することができる。吐出用駆動信号ＣＯＭ１は、３６０ｄｐｉの解像度でプリンタが印刷を行うときの駆動信号である。吐出用駆動信号ＣＯＭ２は、７２０ｄｐｉの解像度でプリンタが印刷を行うときの駆動信号である。吐出用駆動信号ＣＯＭ２は、吐出用駆動信号ＣＯＭ１と比較して、基本周期が短く、電圧が低い。吐出用駆動信号ＣＯＭ３は、１４４０ｄｐｉの解像度でプリンタが印刷を行うときの駆動信号である。吐出用駆動信号ＣＯＭ３は、吐出用駆動信号ＣＯＭ２と比較して、波形の山が一つ少なく、基本周期が短い。駆動信号発生器６４１は、吐出用駆動信号ＣＯＭ１を７ｋＨｚで発生させ、ＣＯＭ２を８ｋＨｚで発生させる。  
また、駆動信号発生器６４１は、非吐出用駆動信号を発生することができる。この非吐出用駆動信号は、インクを吐出しないように圧電素子４１１を駆動するための駆動信号である。非吐出用駆動信号は、吐出用駆動信号ＣＯＭと比較して、電圧が低い。そのため、駆動信号発生器６４１が非吐出用駆動信号を発生するときの消費電力は、駆動信号発生器６４１が吐出用駆動信号ＣＯＭを発生するときの消費電力と比較して、少ない。
【００４２】
次に、ヘッド駆動回路４２の動作について説明する。以下の説明では、駆動信号発生器６４１が吐出用駆動信号ＣＯＭ１を発生する場合について説明する。  
シフトレジスタ４２１は、クロック６５からクロック信号ＣＫを受信するとともに、ユニット制御回路６４から信号ＳＩを受信する。ユニット制御回路から送信される印刷信号ＳＩは、ノズル♯１〜ノズル♯１８０に対応する１８０個の画素データを示す信号である。本実施形態では、１画素について２ビット分の画素データが割り当てられ、１度に１８０個のノズルがインクを吐出するので、印刷信号ＳＩには、３６０ビット分の信号が含まれている。各シフトレジスタは、印刷信号ＳＩ中の画素データのうち、担当するノズルに対応する画素データを受信する。
【００４３】
所定のタイミングでユニット制御回路６４からラッチ回路４２２にラッチ信号ＬＡＴが出力される。ラッチ回路４２２は、ラッチ信号ＬＡＴが入力されると、画素データをラッチする。  
ラッチ回路４２２にラッチされた画素データは、デコーダ４２３に入力される。デコーダ４２３は、２ビット分の画素データをパルス選択データ（パルス選択信号）に変換する。駆動信号発生器の発生する吐出用駆動信号がＣＯＭ１である場合、デコーダ４２３は、画素データ「００」をパルス選択データ「１００００００」に変換する。同様に、デコーダ４２４は、画素データ「０１」をパルス選択データ「００００１００」に、画素データ「１０」をパルス選択データ「０００１１００」に、画素データ「１１」をパルス選択データ「０１１１１１１」に、変換する。なお、デコーダ４２３が２ビットの画素データを７ビットのパルス選択データに変換するのは、吐出用駆動信号ＣＯＭ１が７つの波形から構成されているからである。吐出用駆動信号ＣＯＭを構成する波形の数が変われば、パルス選択データのビット数も変わることになる。
【００４４】
レベルシフタ４２４は、電圧増幅器として機能する。そして、レベルシフタ４２４は、パルス選択データが「０」の場合、Ｌレベル（スイッチ４２５を駆動できない電圧、例えば０ボルト）を出力する。また、レベルシフタ４２４は、パルス選択データが「１」の場合、Ｈレベル（スイッチ回路４２５を駆動できる電圧、例えば数十ボルト程度の電圧）を出力する。  
図１１の点線のタイミングで、チェンジ信号ＣＨがユニット制御回路からヘッド駆動回路に入力されている（不図示）。レベルシフタ４２４は、点線のタイミングで送られてくるチェンジ信号ＣＨに応じて、ＬレベルとＨレベルの出力を切り換える。
【００４５】
スイッチ４２５は、レベルシフタの出力がＬレベルの場合にはＯＦＦ状態になり、レベルシフタの出力がＨレベルの場合にはＯＮ状態になる。この結果、スイッチ４２５に吐出用駆動信号ＣＯＭ１の波形が入力されたとき、レベルシフタの出力がＨレベルならば、そのときの波形が圧電素子４１１へ入力され、その波形に応じて圧電素子４１１が駆動される。スイッチ４２５に吐出用駆動信号ＣＯＭ１の波形が入力されたとき、レベルシフタの出力がＬレベルならば、そのときの波形は圧電素子４１１へ入力されず、圧電素子４１１は駆動されない。
【００４６】
例えば、画素データが「００」の場合、７つの波形から構成される吐出用駆動信号ＣＯＭ１の最初の波形のみが圧電素子へ入力される。ＣＯＭ１の最初の波形は、ノズルからインクを吐出できない程度に圧電素子を微振動させる波形である。つまり、ノズルからインクを吐出しない場合であっても、圧電素子４１１は駆動されており、チャンバを伸縮させてインクを流動させ、ノズルの目詰まりを防止している。  
また、画素データが「０１」〜「１１」の場合、吐出用駆動信号ＣＯＭ１の中央部の波形が圧電素子へ入力される。画素データが大きいほど、圧電素子へ入力される波形の数が多くなり、吐出される液滴の量が多くなり、紙に形成されるドットが大きくなる。  
プリンタは、以上の動作により、画素データが「００」の場合はドットを形成せず、画素データが「０１」の場合は小ドットを形成し、画素データが「１０」の場合は中ドットを形成し、画素データが「１１」の場合は大ドットを形成する。  
上記の説明では、１つの画素へ１つのドットを形成するための動作しか説明していないが、実際には、キャリッジ３１の移動中にヘッド４１はインク滴を断続的に吐出するので、上記の動作が連続的に繰り返される。
【００４７】
なお、非吐出用駆動信号は画素データに基づき圧電素子を駆動するための信号ではないので、駆動信号発生器６４１が非吐出用駆動信号を発生するときは、その非吐出用駆動信号によってそのまま圧電素子が駆動される。
【００４８】
＝＝＝駆動信号発生器の発熱＝＝＝
既に説明した通り、駆動信号発生器は、２つのトランジスタＱ１及びＱ２を有する。この２つのトランジスタは、吐出用駆動信号ＣＯＭを発生するときに、発熱する。この発熱によって、トランジスタ自身の温度が高温になると、トランジスタが破壊されるおそれがある。そこで、高温によるトランジスタの破壊を回避すべく、温度センサを設け、コントローラ６０がトランジスタの温度を管理している。
【００４９】
図１２Ａ及び図１２Ｂは、温度センサの取付位置の説明図である。駆動信号発生器６４１の基板には、トランジスタＱ１のケース及びトランジスタＱ２のケースが設けられている。図１２Ａは基板を横から見た図であり、図１２Ｂはヒートシンクを外したときの基板を上から見た図である。  
２つのトランジスタＱ１及びＱ２は、基板とヒートシンクに挟まれるように設けられている。ヒートシンクはトランジスタと接触しており、トランジスタが発熱すると、その熱がヒートシンクに伝熱されて、外部へ放熱される。  
ヒートシンクを小型化すれば、トランジスタから発生する熱の放出量が小さくなり、トランジスタの温度が高温になりやすくなる。しかし、トランジスタの温度を適正に制御できれば、トランジスタが破壊される温度を見極めることができるので、ヒートシンクの小型化を図ることができる。そして、ヒートシンクを小型化できれば、プリンタ全体の小型化を図ることもできる。そこで、本実施形態では、トランジスタの温度を制御するため、温度センサ５５が基板上に設けられている。
【００５０】
２つのトランジスタのケースの間に温度センサ５５が設けられている。温度センサ５５は、直接的には基板及び周囲温度を検出することにより、トランジスタの温度を間接的に検出することになる。  
一方、トランジスタを構成する半導体には接合部というポイントがあり、この部分で熱が発生する。発生した熱は、トランジスタ本体を熱伝導して外に逃げていく。そして、トランジスタ毎に接合部に許容される最高温度が決められており、この温度をジャンクション温度（あるいは接合部温度）という。このジャンクション温度が１２５℃以上になると、熱によりトランジスタが破壊される。  
そこで、ジャンクション温度とケースの温度（温度センサ５５の検出温度）との関係が問題となる。
【００５１】
ジャンクション温度をＴｊとし、ケース温度をＴｐとすると、ＴｊとＴｐとの関係は、次式のようになる。（なお、Ｒθｊｃは接合部（ジャンクション）からケースまでの熱損失である。また、Ｐは消費電力である。）
Ｔｊ  ＝  Ｒθｊｃ×Ｐ  ＋  Ｔｐ
この式から理解される通り、ケース温度Ｔｐが同じであっても、消費電力Ｐが大きい場合は、消費電力Ｐが小さい場合と比較して、ジャンクション温度Ｔｊが高くなる。言い換えれば、温度センサ５５の検出結果が同じであっても、トランジスタの消費電力が大きいのであれば、トランジスタが破壊されやすい状態になる。
【００５２】
消費電力は、トランジスタが発生する吐出用駆動信号ＣＯＭの種類によって異なっている。例えば、駆動信号発生器６４１が吐出用駆動信号ＣＯＭ１を発生する場合、吐出用駆動信号ＣＯＭ２や吐出用駆動信号ＣＯＭ３を発生する場合と比較して、トランジスタの消費電力が大きくなる。そこで、温度センサの検出結果及び吐出用駆動信号ＣＯＭの種類に基づいて、吐出用駆動信号ＣＯＭの発生を待機（一時停止）させ、トランジスタ自身の温度の上昇を抑えている。
【００５３】
ところで、駆動信号発生器６４１が吐出用駆動信号ＣＯＭや非吐出用駆動信号の発生を待機すると、ノズル内のインクが流動しない状態になるので、以下のような問題が発生する。第１に、ノズルからインクが蒸発し、インクの粘度が上昇し、インクが固化するおそれがある。第２に、ノズルに塵埃が付着するおそれがある。第３に、ノズル内に気泡が混入するおそれもある。そして、駆動信号発生器６４１が吐出用駆動信号ＣＯＭの発生を再開したとき、これらの問題によるインクの吐出不良によって、インク不吐出によるドット未形成や、飛行曲がりによるドットの位置ズレが発生する。この結果、プリンタによる印刷画像の画質に筋が入り、画質が劣悪なものとなる。
【００５４】
そこで、以下に説明する本実施形態では、駆動信号発生器６４１が吐出用駆動信号ＣＯＭや非吐出用駆動信号の発生を待機する際には、キャップがヘッド４１（ノズル）を覆い、インクの蒸発や塵埃の付着を防いでいる。また、駆動信号発生器６４１の待機処理の後、プリンタはフラッシング処理を行い、ノズル内の気泡の混入を回復させている。
【００５５】
＝＝＝本実施形態の制御方法＝＝＝
＜印刷処理について＞
図１３は、印刷処理のフロー図である。以下に説明される各処理は、コントローラ６０が、メモリ６３内に格納されたプログラムに従って、各ユニットを制御することにより実行される。このプログラムは、各処理を実行するためのコードを有する。  
また、図１４Ａ〜図１４Ｃは、待機条件を示す表である。図１４Ａの表はＣＯＭ１の待機条件を示し、図１４Ｂの表はＣＯＭ２の待機条件を示し、図１４Ｃの表はＣＯＭ３の待機条件を示す。各待機条件は、温度センサ５５の検出温度と、吐出用駆動信号の発生を待機する待機時間との関係を示している。これらの３つの待機条件は、メモリ６３内に格納されている。
【００５６】
コントローラ６０は、コンピュータ１１０からインターフェース部６１を介して、印刷命令を受信する（Ｓ１０１）。この印刷命令は、コンピュータ１１０から送信される印刷データのヘッダに含まれている。そして、コントローラ６０は、受信した印刷データに含まれる各種コマンドの内容を解析し、各ユニットを用いて、以下の給紙処理・搬送処理・インク吐出処理等を行う。  
本実施形態では、印刷データ中のコマンドデータとして、駆動信号指定データがある。駆動信号指定データは、３種類の吐出用駆動信号ＣＯＭ１〜ＣＯＭ３のいずれの吐出用駆動信号を印刷時に用いるかを指定するための情報である。ここでは、駆動信号指定データが、吐出用駆動信号ＣＯＭ１を指定しているものとして、説明を進める。
【００５７】
次に、コントローラ６０は、印刷データ中の駆動信号指定データに応じて、待機条件を設定する（Ｓ１０２）。ここでは、駆動信号指定データが吐出用駆動信号ＣＯＭ１を指定しているので、コントローラ６０は、３つの待機条件の中から図１４Ａの待機条件（閾値と待機時間）を設定する。ここで設定される閾値は、６０℃、６５℃及び７０℃である。また、設定される待機時間は、６０℃以上６５℃未満において３０秒、６５℃以上７０℃未満において６０秒である。
【００５８】
次に、コントローラ６０は、給紙処理を行う（Ｓ１０３）。給紙処理とは、印刷すべき紙をプリンタ内に供給し、印刷開始位置（頭出し位置とも言う）に紙を位置決めする処理である。コントローラ６０は、給紙ローラ２１を回転させ、印刷すべき紙を搬送ローラ２３まで送る。コントローラ６０は、搬送ローラ２３を回転させ、給紙ローラ２１から送られてきた紙を印刷開始位置に位置決めする。紙が印刷開始位置に位置決めされたとき、ヘッド４１の少なくとも一部のノズルは、紙と対向している。なお、給紙処理の間、コントローラ６０は、駆動信号発生器６４１を利用して、非吐出用駆動信号を発生させる。圧電素子が非吐出用駆動信号によってチャンバ４１２を振動させることにより、チャンバ内のインクが撹拌されるので、ノズル内のインクの固化を抑制することができる。
【００５９】
次に、コントローラ６０は、ドット形成処理を行う（Ｓ１０４）。ドット形成処理とは、移動方向に沿って移動するヘッドからインクを断続的に吐出させ、紙上にドットを形成する処理である。コントローラ６０は、キャリッジモータ３２を駆動し、キャリッジ３１を移動方向に移動させる。そして、コントローラ６０は、キャリッジ３１が移動している間に、印刷データに基づいてヘッドからインクを吐出させる。ヘッドから吐出されたインク滴が紙上に着弾すれば、紙上にドットが形成される。  
ドット形成処理の間、コントローラ６０は、駆動信号発生器６４１を利用して、駆動信号指定データにより指定された吐出用駆動信号ＣＯＭ１を連続して発生させる。このとき、２つのトランジスタＱ１及びＱ２が発熱する。
【００６０】
次に、コントローラ６０は、搬送処理を行う（Ｓ１０５）。搬送処理とは、紙をヘッドに対して搬送方向に沿って相対的に移動させる処理である。コントローラ６０は、搬送モータを駆動し、搬送ローラを回転させて紙を搬送方向に搬送する。この搬送処理により、ヘッド４１は、先ほどのドット形成処理によって形成されたドットの位置とは異なる位置に、ドットを形成することが可能になる。  
搬送処理の間、コントローラ６０は、駆動信号発生器６４１を利用して、非吐出用駆動信号を発生させる。圧電素子が非吐出用駆動信号によってチャンバ４１２を振動させることにより、チャンバ内のインクが撹拌されるので、ノズル内のインクの固化を抑制することができる。なお、コントローラ６０は、次のドット形成処理が開始されるまでの間、駆動信号発生器６４１から非吐出用駆動信号を発生させ続けている。
【００６１】
次に、コントローラ６０は、印刷中の紙の排紙の判断を行う（Ｓ１０６）。印刷中の紙に印刷するためのデータが残っていれば、排紙は行われない（Ｓ１０６でＮＯ）。そして、コントローラ６０は、印刷するためのデータがなくなるまでドット形成処理と搬送処理とを交互に繰り返し、ドットから構成される画像を徐々に紙に印刷する。
【００６２】
印刷中の紙に印刷するためのデータがなくなれば（Ｓ１０６でＹＥＳ）、コントローラ６０は、その紙を排紙する（Ｓ１０７）。コントローラ６０は、排紙ローラを回転させることにより、印刷した紙を外部に排出する。なお、排紙を行うか否かの判断は、印刷データに含まれる排紙コマンドに基づいても良い。
【００６３】
排紙処理後、コントローラ６０は、印刷を続行するか否かの判断を行う（Ｓ１０８）。次の紙に印刷を行わないのであれば（Ｓ１０８でＹＥＳ）、印刷動作を終了する。
【００６４】
ジョブが複数の紙を連続印刷する内容である場合、１枚目を印刷した後、２枚目の印刷を行うため、印刷を続行することになる（Ｓ１０８でＮＯ）。但し、１枚目を印刷するときに、ドット形成処理が繰り返し行われているので、トランジスタから発生する熱が蓄積され、トランジスタの周囲の温度が上昇している。トランジスタのジャンクション温度が高温になると、トランジスタが破壊され、プリンタが故障してしまう。
【００６５】
そこで、１枚目の紙を印刷し終えた後、コントローラ６０は、温度センサ５５の出力に基づいて、温度を検出する（Ｓ１０９）。ここでは、１枚目の印刷を終えたときの温度センサ５５の検出温度が、室温よりも少し高い５０℃であるものとして、説明する。
【００６６】
コントローラ６０は、温度センサ５５の検出温度と設定された閾値（図１４Ａ参照）とを比較する（Ｓ１１０）。ここでは温度センサ５５の検出温度が５０℃なので、この検出温度は、最初の閾値６０℃よりも低い（Ｓ１１０でＹＥＳ）。そのため、コントローラ６０は、待機処理を行わずに、次の紙の印刷を開始する（Ｓ１０３）。そして、コントローラ６０は、この後、連続印刷を行うため、上記のＳ１０４〜Ｓ１１０の動作を繰り返す（コントローラ６０は、ジョブの示す印刷内容を終えるまで（Ｓ１０８でＹＥＳ）、上記のＳ１０４〜Ｓ１１０の動作を繰り返す）。
【００６７】
連続印刷により、トランジスタの温度は更に上昇し、トランジスタのケース温度も更に上昇する。次に、Ｓ１０９において温度センサ５５の検出温度が６１℃に達したものとして、説明する。
【００６８】
コントローラ６０は、温度センサ５５の検出温度と設定された閾値（図１４Ａ参照）とを比較する（Ｓ１１０）。ここでは温度センサ５５の検出温度が６１℃なので、この検出温度は、最初の閾値６０℃よりも高い（Ｓ１１０でＮＯ）。この検出温度は６０℃以上６５℃未満であるので、コントローラ６０は、待機時間を３０秒と決定する（Ｓ１１１）。
【００６９】
次に、コントローラ６０は、決定された待機時間に応じて、待機処理を行う（Ｓ１１２）。待機処理の間、コントローラ６０は、駆動信号発生器６４１から吐出用駆動信号ＣＯＭ１及び非吐出用駆動信号を発生させないようにする。これにより、待機処理の間、駆動信号発生器６４１はトランジスタを利用しないので、トランジスタから熱が放出されて、トランジスタの温度上昇が抑えられる。また、コントローラ６０は、待機処理を行う際にキャリッジ３１をホームポジションまで移動させ、待機処理の間、ヘッド４１（ノズル）をキャップで覆う（キャッピング処理）。そして、コントローラ６０は、この状態を３０秒間維持させる。キャリッジ３１がホームポジションにいる間、駆動信号発生器６４１は非吐出用駆動信号を発生しないが、キャップによりヘッド４１が覆われているので、ノズル内のインクの固化を防ぐことができる。
【００７０】
待機処理後、コントローラ６０は、フラッシング処理を行う（Ｓ１１３）。待機処理の間、ノズル内のインクが流動していないので、ノズルが目詰まりしているおそれがあるからである。但し、待機処理の間、ヘッド４１がキャップに覆われているため、ノズルからのインクの蒸発が抑制されるので、大量のインクを空吐出させなくても良い。  
そして、フラッシング処理後、コントローラ６０は、更に次の紙の印刷を行うため、印刷を続行する。ジョブの示す枚数をプリンタが印刷し終えるまで、コントローラ６０は、上記のＳ１０３〜Ｓ１１３の動作を繰り返す。  
温度センサ５５の検出温度が６０℃以上６５℃未満の場合、プリンタは、１枚印刷する毎に、３０秒間の待機処理を行うことになる。このため、プリンタが待機処理を行うようになった後、連続印刷の速度が遅くなる。
【００７１】
コントローラ６０は、温度センサ５５の検出温度が６５℃を越えると、待機時間を３０秒から６０秒に延ばし、待機時間中にトランジスタのケースの放熱量を多くさせる。ユーザーが正常にプリンタを使用しているのであれば、吐出用駆動信号ＣＯＭ１による印刷時に温度センサ５５の検出温度が７０℃を越えることがないように、待機時間が設定されている。
【００７２】
コントローラ６０は、温度センサ５５の検出温度が７０℃を越えたとき、トランジスタのジャンクション温度が１２５℃（トランジスタ回路が破壊される温度）に近づいているので、プリンタ全体の印刷処理を停止させる。このとき、コントローラ６０は、コンピュータ側のプリンタドライバにエラー情報を送信する。エラー情報を受けたプリンタドライバは、ディスプレイにエラーを表示する。  
なお、温度センサ５５の検出温度が−２０℃よりも低い場合も、想定されている使用環境ではないので、コントローラ６０は、印刷処理を停止させ、エラー処理を行う。  
コントローラ６０は、ジョブの示す印刷内容を終えるまで（Ｓ１０８でＹＥＳ）、上記のＳ１０４〜Ｓ１１３の動作を繰り返し、連続印刷を行う。
【００７３】
＜温度変化について＞
図１５は、印刷処理を続けたときのジャンクション温度Ｔｊの時間変化のグラフである。グラフの縦軸は温度（℃）を示し、横軸は時間を示す。なお、横軸の時間軸は、数十枚〜数百枚を印刷する程度の時間軸である。  
待機処理を行わない場合、印刷処理を続けると、ジャンクション温度Ｔｊが上昇し続ける。そして、印刷処理をしばらく続けると、ジャンクション温度が１２５℃に達し、トランジスタが破壊され、プリンタが故障する。  
一方、本実施形態のように待機処理を行えば、ジャンクション温度Ｔｊが高くなると（ケース温度が約６０℃になると）、プリンタは、待機処理を行うようになる。この結果、連続印刷の速度が遅くなるが、ジャンクション温度の上昇が抑えられる。
【００７４】
＜最初から待機時間を６０秒とした場合＞
図１６は、最初から待機時間を６０秒としたときのジャンクション温度Ｔｊの温度変化のグラフである。最初から待機時間を６０秒とした場合、本実施形態と比較して、ジャンクション温度Ｔｊの上昇が最初から抑えられることになる。  
しかし、この場合、ジャンクション温度Ｔｊが低いときにも、待機時間を６０秒とする待機処理が行われるので、１枚当たりの印刷速度が遅くなる。  
一方、本実施形態では、温度検出センサ５５の検出温度が６０℃に達するまでの間、待機処理が行われないので、最初から待機時間を６０秒とした場合と比較して、プリンタの印刷速度が速い。また、本実施形態では、温度検出センサ５５の検出温度が６５℃に達するまでの間、待機処理が３０秒なので、最初から待機時間を６０秒とした場合と比較して、プリンタの印刷速度が速い。  
本実施形態では、最初から待機時間を６０秒とした場合と比較して、ジャンクション温度Ｔｊが高くなる。しかし、本実施形態でも、ジャンクション温度Ｔｊは１２５℃を越えないので、トランジスタの破壊を回避することができる。
【００７５】
＜吐出用駆動信号の種類と待機条件との関係＞
図１７は、吐出用駆動信号の種類によらず同じ待機条件としたとき（比較例）のジャンクション温度Ｔｊの温度変化のグラフである。ここでは比較のため、ＣＯＭ２の吐出用駆動信号でプリンタが印刷を行うときも、ＣＯＭ１の待機条件（図１４Ａ）で待機処理が行われる（本来ならば、ＣＯＭ２の吐出用駆動信号でプリンタが印刷を行うとき、ＣＯＭ２の待機条件で待機処理が行われる。）。
【００７６】
既に説明した通り、吐出用駆動信号ＣＯＭ２で印刷を行う場合、吐出用駆動信号ＣＯＭ１と比較して、トランジスタの消費電力が少ない。そのため、吐出用駆動信号ＣＯＭ２でプリンタが印刷するときに、消費電力が多い吐出用駆動信号ＣＯＭ１の待機条件を基準に待機処理を行うと、ジャンクション温度Ｔｊが低いときにも待機処理が行われることになり、連続印刷の速度が遅くなる。  
そこで、本実施形態では、吐出用駆動信号ＣＯＭの種類に応じて、待機条件を変えている。例えば、ＣＯＭ２の吐出用駆動信号でプリンタが印刷するとき、ＣＯＭ１の待機条件とは異なる待機条件（図１４Ｂ参照）で待機処理が行われる。  
これにより、ＣＯＭ２の吐出用駆動信号でプリンタが印刷するとき、温度検出センサ５５の検出温度が７０℃に達するまでの間、待機処理が行われない。この結果、温度検出センサ５５の検出温度が６０℃から７０℃までの間、本実施形態のプリンタは、上記の比較例よりも、印刷速度が速い。  
また、本実施形態では、温度検出センサ５５の検出温度が７０℃から７５℃までの間、待機時間は２０秒に設定される。このため、本実施形態は、待機時間が３０秒の場合と比較して、連続印刷の速度が速い。  
また、本実施形態では、温度検出センサ５５の検出温度が８０℃になるまで、印刷処理が続行される。このため、本実施形態は、７０℃で印刷処理が停止される場合と比較して、連続印刷できる枚数が多い。
【００７７】
＝＝＝その他の実施の形態＝＝＝
上記の実施形態は、主としてプリンタについて記載されているが、その中には、印刷装置、記録装置、液体の吐出装置、印刷方法、記録方法、液体の吐出方法、印刷システム、記録システム、コンピュータシステム、プログラム、プログラムを記憶した記憶媒体、表示画面、画面表示方法、印刷物の製造方法、等の開示が含まれていることは言うまでもない。
【００７８】
また、一実施形態としてのプリンタ等を説明したが、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００７９】
＜待機処理について＞
プリンタが１枚印刷する毎に待機処理を行う場合、吐出用駆動信号ＣＯＭの種類が同じであっても、紙の大きさに応じて待機時間を変更しても良い。例えば、Ａ４サイズの紙を複数印刷する場合の待機時間は、Ａ５サイズの紙を複数印刷する場合の待機時間よりも、長くなる。紙が大きければ、１枚印刷する間に蓄積される熱量が多くなるからである。したがって、この場合、プリンタのメモリ６３は、図１４Ａ〜図１４Ｃのような表を、紙の種類に応じて格納する。  
この実施形態は、１枚印刷する毎に待機処理を行うので、Ａ４紙やＢ５紙などのカット紙の印刷処理に用いることが望ましい。そして、紙が大きくなるほど、待機時間が長くなるように設定されることが望ましい。例えば、プリンタがＡ４紙を印刷する場合、Ａ５紙の場合よりも、待機時間が長くなるように設定される。
【００８０】
＜待機条件について＞
前述の実施形態では、プリンタは、待機時間を段階的に変えていた（例えば、３０秒から６０秒）が、これに限られるものではない。また、前述の実施形態では、プリンタは、吐出用駆動信号の種類に応じて待機時間を変えていたが、これに限られるものではない。
【００８１】
図１８は、別の実施形態のフロー図である。また、図１９は、吐出用駆動信号の種類と閾値との関係を示す表である。
【００８２】
コントローラ６０は、印刷命令を受信した後、印刷データ中の駆動信号指定データに応じて、閾値を設定する（Ｓ２０２）。例えば、駆動信号指定データが吐出用駆動信号ＣＯＭ１を指定している場合、コントローラは、閾値を６５℃に設定する。  
その後、コントローラ６０は、１枚印刷する毎に温度を検出する（Ｓ１０９）。そして、設定された閾値を検出温度が越えていなければ（Ｓ１１０でＹＥＳ）、待機処理を行わない。一方、設定された閾値を検出温度が越えていれば（Ｓ１１０でＮＯ）、予め設定された待機時間（例えば６０秒）で待機処理を行う（Ｓ１１２）。そして、待機処理後、フラッシング処理（Ｓ１１３）を行う。  
このようにしても、待機処理時にヘッド４１をキャップで覆うので、前述の実施形態と同様の効果を得ることができる。また、このようにしても、待機処理後にフラッシング動作を行うので、前述の実施形態と同様の効果を得ることができる。
【００８３】
＜フラッシング処理について＞
前述の実施形態では、プリンタは、待機処理後、次の紙の印刷前に、フラッシング処理を行っていた。しかし、待機処理後に行われるクリーニング処理（ノズルの目詰まりを予防・回復する処理）は、これに限られるものではない。例えば、インク吸引処理であっても良い。
【００８４】
＜インクについて＞
前述の実施形態は、プリンタの実施形態だったので、染料インク又は顔料インクをノズルから吐出していた。しかし、ノズルから吐出する液体は、このようなインクに限られるものではない。例えば、金属材料、有機材料（特に高分子材料）、磁性材料、導電性材料、配線材料、成膜材料、電子インク、加工液、遺伝子溶液などを含む液体（水も含む）をノズルから吐出しても良い。このような液体を対象物に向かって直接的に吐出すれば、省材料、省工程、コストダウンを図ることができる。
【００８５】
＜ノズルについて＞
前述の実施形態では、圧電素子を用いてインクを吐出していた。しかし、液体を吐出する方式は、これに限られるものではない。例えば、熱によりノズル内に泡を発生させる方式など、他の方式を用いてもよい。
【００８６】
＝＝＝まとめ＝＝＝
（１）前述のプリンタ（印刷装置）は、ジョブを受信し、ジョブに従って圧電素子を駆動してインクをノズル（吐出口）から紙（媒体）に吐出し、紙に印刷を行うものである。そして、このプリンタは、圧電素子を駆動するための吐出用駆動信号を発生する駆動信号発生器６４１を備えている。  
連続印刷するジョブをプリンタが実行すると、駆動信号発生器（詳しくはトランジスタの接合部）が発熱する。この発熱が蓄積されると、駆動信号発生器が高温になり、プリンタが故障するおそれがある。そこで、プリンタが１枚印刷する毎に（各媒体へインクの吐出を終える毎に）、駆動信号発生器は、吐出用駆動信号の発生を待機している。  
１枚印刷する毎に待機処理を行う場合、ドット形成処理毎に待機処理を行う場合と比較して、駆動信号発生器に蓄積される熱が多いため、待機処理の待機時間が長くなる。しかし、待機処理が長時間になると、ノズルからのインクの蒸発により、インクの粘度が増し、印刷時に吐出不良となるおそれがある。  
そこで、前述のプリンタ（印刷装置）は、ノズル（吐出口）を覆うためのキャップ７１を備えている。そして、待機処理のときに、キャップ７１がノズルを覆うことにしている。これにより、インクの蒸発を防ぐことができるので、インクの目詰まりを回避して、吐出不良による画質の劣化を防ぐことができる。
【００８７】
（２）前述のプリンタは、待機処理後、次の紙（媒体）の印刷前に、フラッシング処理（ノズルからインクを空吐出させること）を行っている。  
待機処理の間、駆動信号が発生しないので、圧電素子を微振動させること（ノズルからインクを吐出できない程度に圧電素子を駆動すること）もできない。そのため、キャップ７１がノズルを覆っても、ノズルにインクが目詰まりするおそれがある。前述のプリンタは、フラッシング処理を行うことにより、たとえ待機処理の間にインクの目詰まりが生じても、次の紙の印刷前に目詰まりを回復することができる。
【００８８】
（３）前述のプリンタでは、キャップ７１が、フラッシング処理の際に吐出されるインクを受けている。これにより、キャップ７１が複数の機能を果たすので、プリンタの部品点数が少なくなり、プリンタの小型化を図ることができる。
【００８９】
（４）前述のプリンタは、待機処理後、次の紙（媒体）の印刷前に、インク吸引処理を行っている。  
待機処理の間、吐出用駆動信号が発生しないので、圧電素子を微振動させること（ノズルからインクを吐出できない程度に圧電素子を駆動すること）もできない。そのため、キャップ７１がノズルを覆っても、ノズルにインクが目詰まりするおそれがある。前述のプリンタは、インク吸引処理を行うことにより、たとえ待機処理の間にインクの目詰まりが生じても、次の紙の印刷前に目詰まりを回復することができる。
【００９０】
（５）前述のプリンタでは、インク吸引処理のとき、キャップ７１とノズルとの間の空間を負圧にしている。すなわち、キャップ７１が、インク吸引処理のための筐体としても機能している。これにより、キャップ７１が複数の機能を果たすので、プリンタの部品点数が少なくなり、プリンタの小型化を図ることができる。
【００９１】
（６）前述のプリンタでは、電源をＯＦＦにしたとき、キャップ７１がノズル（吐出口）を覆う。すなわち、待機処理の時にノズルを覆うキャップと、電源をＯＦＦに時にノズルを覆うキャップが、同じである。これにより、キャップが複数の機能を果たすので、プリンタの部品点数が少なくなり、プリンタの小型化を図ることができる。
【００９２】
（７）前述のプリンタでは、１枚印刷する毎に、待機処理を行っている。一方、前述のプリンタは、Ａ４紙やＢ５紙等の大きさの異なる紙（媒体）を印刷可能である。１枚印刷する間に駆動信号発生器に蓄積される熱は、紙の大きさによって異なっている。そのため、前述のプリンタでは、紙の大きさに応じて、待機処理の待機時間を変えている。これにより、駆動信号発生器に蓄積される熱に応じて待機時間を変えることができる。
【００９３】
（８）前述のプリンタは、駆動信号発生器の温度を検出するための温度センサ５５を備えている。そして、前述のプリンタは、温度センサ５５の検出結果に基づいて、待機処理を行っている。これにより、プリンタが、駆動信号発生器の温度に応じて、待機処理の要否や待機時間を決定することができる。
【００９４】
（９）前述のプリンタには、閾値が設定されている。例えば、図１９に示されるように、駆動波形がＣＯＭ１の場合、閾値が６５℃に設定されている。そして、前述のプリンタでは、温度センサ５５の検出温度が６５℃を越えたとき、待機処理を行う。これにより、閾値を越える前には待機処理を行わないので、プリンタは連続印刷を速く行うことができる。
【００９５】
（１０）前述のプリンタは、温度センサ５５の検出温度に基づいて、待機処理の待機時間を決定している。例えば、図１４Ａに示されるように、吐出用駆動信号がＣＯＭ１の場合、検出温度が６０℃以上６５℃未満では待機時間が３０秒であり、検出温度が６５℃以上７０℃未満では待機時間が６０秒である。仮に、温度によらず待機時間が６０秒であったとすると、温度センサ５５の検出温度が低い時まで待機時間が長いので、連続印刷の速度が遅くなる。したがって、温度に応じて待機時間を決定するようにすれば、プリンタは、連続印刷を速く行うことができる。
【００９６】
（１１）前述のプリンタでは、温度センサ５５の検出温度が高い温度になるほど、待機時間が長くなる。例えば、図１４Ａに示されるように、吐出用駆動信号がＣＯＭ１の場合、検出温度が６０℃以上６５℃未満では待機時間が３０秒であり、検出温度が６５℃以上７０℃未満では待機時間が６０秒である。仮に、検出温度が６０℃以上６５℃未満のときに待機時間を６０秒にすると、駆動信号発生器の温度上昇を抑えることはできるが、連続印刷の速度が遅くなる。しかも、検出温度が６０℃〜６５℃の範囲はトランジスタが破壊される温度ではない。そのため、この範囲では、温度が上昇しても印刷速度を速めることが望ましい。  
したがって、前述のプリンタでは、駆動信号発生器の温度が上昇しても良い範囲で、印刷速度を速くすることができる。
【００９７】
（１２）前述の駆動信号発生器は、３種類の吐出用駆動信号ＣＯＭ１〜ＣＯＭ３を発生可能である。駆動信号発生器が発生する吐出用駆動信号が複数種類ある場合、吐出用駆動信号の種類に応じて消費電力が異なる。このため、吐出用駆動信号の種類にかかわらず同じようにプリンタが待機処理を行うと、印刷速度が低下する。例えば、吐出用駆動信号ＣＯＭ２でプリンタが印刷するとき、消費電力が多いＣＯＭ１の待機条件を基準に待機処理を行うと、トランジスタのジャンクション温度Ｔｊが低いときにも待機処理が行われることになり、連続印刷の速度が遅くなる。一方、印刷速度が低下しないような部品を採用すれば、コストアップを招く。例えば、前述の実施形態では１２５℃で破壊されてしまうトランジスタを採用していたが、２００℃まで耐久性のあるトランジスタを採用すると、コストアップを招く。  
そこで、前述のプリンタは、吐出用駆動信号の種類に基づいて、待機処理を行う。これにより、印刷速度の速い安価なプリンタを提供することができる。
【００９８】
（１３）前述の３種類の吐出用駆動信号ＣＯＭ１〜ＣＯＭ３は、駆動信号発生器６４１の消費電力がそれぞれ異なる。例えば、吐出用駆動信号ＣＯＭ１は消費電力が１０Ｗであり、吐出用駆動信号ＣＯＭ２は消費電力が７Ｗであり、吐出用駆動信号ＣＯＭ３は消費電力が４Ｗである。  
消費電力が大きい吐出用駆動信号ＣＯＭ１は、大きいドットを形成するのに向いている。本実施形態では、吐出用駆動信号ＣＯＭ１は、３６０ｄｐｉの解像度の印刷時に用いられる。印刷媒体が普通紙の場合、吐出用駆動信号ＣＯＭ１が採用される。一方、消費電力が小さい吐出用駆動信号ＣＯＭ３は、小さいドットを形成するのに向いている。本実施形態では、吐出用駆動信号ＣＯＭ３は、１４４０ｄｐｉの解像度の印刷時に用いられる。印刷媒体が専用紙の場合、吐出用駆動信号ＣＯＭ３が採用される。  
普通紙に印刷する場合、大ドット（画素データが「１１」）により画素を塗りつぶすことが多い。このため、吐出用駆動信号ＣＯＭ１を用いた普通紙印刷では、消費電力がより多くなる。一方、専用紙に印刷する場合、大ドットよりも小ドット（画素データが「０１」）を吐出する方が多い。このため、吐出用駆動信号ＣＯＭ３を用いた専用紙印刷では、消費電力がより少なくなる。  
このように、消費電力の異なる複数の吐出用駆動信号ＣＯＭ１〜ＣＯＭ３を発生可能なプリンタに、上記の実施形態を実現させれば、印刷速度の速い安価なプリンタを提供することができる。
【００９９】
（１４）前述のプリンタは、駆動信号発生器の消費電力の大きい吐出用駆動信号の種類ほど、待機時間が長くなる。例えば、吐出用駆動信号ＣＯＭ１は、吐出用駆動信号ＣＯＭ２や吐出用駆動信号ＣＯＭ３よりも、駆動信号発生器の消費電力が多くなる。そのため、吐出用駆動信号ＣＯＭ１は、吐出用駆動信号ＣＯＭ２や吐出用駆動信号ＣＯＭ３よりも、待機時間が長く設定される。
【図面の簡単な説明】
【０１００】
【図１】印刷システムの全体構成の説明図である。
【図２】プリンタドライバのユーザインターフェースの説明図である。
【図３】プリンタの全体構成のブロック図である。
【図４】プリンタの全体構成の概略図である。
【図５】プリンタの全体構成の横断面図である。
【図６】キャップユニットを上から見た図である。
【図７】キャップユニットを横から見た図である。
【図８】ヘッドの駆動を行う構成要素の説明図である。
【図９】駆動信号発生器の電気回路の概略説明図である。
【図１０】駆動信号発生器が発生する複数の吐出用駆動信号の説明図である。
【図１１】画素データと、レベルシフタの出力信号及び圧電素子への入力信号との関係の説明図である。
【図１２】図１０Ａは基板を横から見た図であり、図１０Ｂはヒートシンクを外したときの基板を上から見た図である。
【図１３】印刷処理のフロー図である。
【図１４】図１４Ａ〜図１４Ｃは、待機条件を示す表である。
【図１５】印刷処理を続けたときのジャンクション温度Ｔｊの時間変化のグラフである。
【図１６】待機時間を常に３０秒としたときのジャンクション温度Ｔｊの温度変化のグラフである。
【図１７】比較例の場合のジャンクション温度Ｔｊの温度変化のグラフである。
【図１８】別の実施形態のフロー図である。
【図１９】吐出用駆動信号の種類と閾値・待機時間との関係を示す表である。
【符号の説明】
【０１０１】
１  プリンタ、
２０  搬送ユニット、２１  給紙ローラ、２２  搬送モータ（ＰＦモータ）、
２３  搬送ローラ、２４  プラテン、２５  排紙ローラ、
３０  キャリッジユニット、３１  キャリッジ、
３２  キャリッジモータ（ＣＲモータ）、
４０  ヘッドユニット、４１  ヘッド、４１１  圧電素子、４１２  チャンバ、
４２  ヘッド駆動回路、４２１  シフトレジスタ、４２２  ラッチ回路、
４２３  デコーダ、４２４  レベルシフタ、４２５  スイッチ、
５０  検出器群、５１  リニア式エンコーダ、５２  ロータリー式エンコーダ、
５３  紙検出センサ、５４  光学センサ、５５  温度センサ、
６０  コントローラ、６１  インターフェース部、６２  ＣＰＵ、
６３  メモリ、６４  ユニット制御回路、６４１  駆動信号発生器、
７０  キャップユニット、７１  キャップ、７２  スライダ、７３  ガイド機構、
７４  回転機構、７５  復元機構、
Ｑ１・Ｑ２  トランジスタ、
１００  印刷システム、１１０  コンピュータ、
１２０  表示装置、
１３０  入力装置、１３０Ａ  キーボード、１３０Ｂ  マウス、
１４０  記録再生装置、
１４０Ａ  フレキシブルディスクドライブ装置、
１４０Ｂ  ＣＤ−ＲＯＭドライブ装置
【図１】
2005219461.tif 000003
【図２】
2005219461.tif 000004
【図３】
2005219461.tif 000005
【図４】
2005219461.tif 000006
【図５】
2005219461.tif 000007
【図６】
2005219461.tif 000008
【図７】
2005219461.tif 000009
【図８】
2005219461.tif 000010
【図９】
2005219461.tif 000011
【図１０】
2005219461.tif 000012
【図１１】
2005219461.tif 000013
【図１２】
2005219461.tif 000014
【図１３】
2005219461.tif 000015
【図１４】
2005219461.tif 000016
【図１５】
2005219461.tif 000017
【図１６】
2005219461.tif 000018
【図１７】
2005219461.tif 000019
【図１８】
2005219461.tif 000020
【図１９】
2005219461.tif 000021